(57)【要約】【課題】  本発明の目的は、メディア全般に対して滲みが少なく優れた画質の記録画像を形成することのできるインクジェット用インクセットを提供することにある。【解決手段】  本発明は、少なくとも色材として顔料を含む非水系インクと、少なくとも色材として顔料を含む水系インクと、からなるインクジェットインクセットを提供する。また、本発明は、前記インクセットを少なくとも含むインクカートリッジ、該インクカートリッジを少なくとも備えた記録装置、前記インクセットを少なくとも用いて記録する記録装置、及び該記録装置により記録された記録物をそれぞれ提供する。【選択図】  なし【特許請求の範囲】
【請求項１】
少なくとも色材として顔料を含む非水系インクと、少なくとも色材として顔料を含む水系インクと、からなるインクジェットインクセット。
【請求項２】
前記非水系インクが、更にアルキレングリコール化合物を含む、請求項１記載のインクセット。
【請求項３】
前記アルキレングリコール化合物が、ジエチレングリコール化合物及びジプロピレングリコール化合物のうち少なくとも１つを含む、請求項２記載のインクセット。
【請求項４】
前記ジエチレングリコール化合物が、ジエチレングリコールジエチルエーテルである、請求項３記載のインクセット。
【請求項５】
前記ジプロピレングリコール化合物が、ジプロピレングリコールモノメチルエーテルである、請求項３記載のインクセット。
【請求項６】
前記アルキレングリコール化合物が、更にオキシアルキレン基の付加モル数が３以上のポリアルキレングリコール化合物を含む、請求項３〜５の何れかに記載のインクセット。
【請求項７】
前記ポリアルキレングリコール化合物が、トリエチレングリコールモノエーテル化合物である、請求項６記載のインクセット。
【請求項８】
前記水系インクが、更に多価アルコールを含む、請求項１〜７の何れかに記載のインクセット。
【請求項９】
前記水系インクが、更に分散剤を含む、請求項１〜８の何れかに記載のインクセット。
【請求項１０】
前記非水系インク及び前記水系インクそれぞれに含まれる顔料が、同一である、請求項１〜８の何れかに記載のインクセット。
【請求項１１】
前記非水系インク及び前記水系インクは、それぞれ顔料として酸化チタンを含む、請求項１〜９の何れかに記載のインクセット。
【請求項１２】
請求項１〜１１の何れかに記載のインクセットを少なくとも含むインクカートリッジ。
【請求項１３】
請求項１２記載のインクカートリッジを少なくとも備えた記録装置。
【請求項１４】
請求項１〜１１の何れかに記載のインクセットを少なくとも用いて記録する記録装置。
【請求項１５】
請求項１４記載の記録装置により記録された記録物。
【発明の詳細な説明】
【技術分野】
【０００１】
本発明は、メディア（記録媒体）上で非水系顔料インクと水系顔料インクとが合わされることにより、メディア全般に対して（吸収メディアに限らず非吸収メディアにも）滲みの少ない印字物等の記録画像を形成することのできるインクジェットインクセット、並びにこれを用いたインクカートリッジ、記録装置及び記録物に関する。
【背景技術】
【０００２】
従来から、メディア上にインクジェット法等により画像を記録した際の記録物の滲みを改善する技術が種々開発されている。
【０００３】
特開２００４−９４０６号公報には、滲みや光学濃度等の改善を目的として、顔料、水溶性溶媒及び水を含み且つ特定の物性を備えたインクと、該インク中の顔料を凝集させる作用を有する液体組成物と、を含んで構成されるインクジェット記録用インクセットが開示されている（特許公報１）。
【０００４】
また、特開２００４−１０８３３号公報には、同様に滲みや光学濃度等の改善を目的として、顔料等の色材、水溶性溶媒及び水を含み且つ特定の物性を備えたインクと、該インクを凝集させる作用を有し且つ特定の物性を備えた液体組成物と、を含んで構成されるインクジェット記録用インクセットが開示されている（特許公報２）。
【０００５】
しかし、何れも水を含む水系インクと液体組成物とを用いたこれらの水系インクセットでは、記録画像の滲み改善効果が不十分で画質が低下したり、記録するメディアの種類によって滲みの発生の有無が生じることもあるといった問題がある。
【０００６】
ところで、インクジェット記録方式には主溶媒として水を用いる水性インクと、主溶媒として有機溶媒を用いる油性インク（非水系インク）とが一般に用いられている。水性インクを用いた印刷画像は、一般的に耐水性に劣り、耐水表面を有するメディアへの印刷が困難であるのに対し、油性インクは耐水性に優れた印刷画像を提供することができると共に、耐水性表面を有するメディアへの印刷も容易になるなどの利点を有する。更に、色材に顔料を用いる油性インクは、耐光性にも優れている。しかし、油性インクでは、吸収性のメディアに印刷した場合には、良好な画質が得られないという問題がある。
【特許文献１】特開２００４−９４０６号公報
【特許文献２】特開２００４−１０８３３号公報
【発明の開示】
【発明が解決しようとする課題】
【０００７】
本発明が解決しようとする問題点は、前述した従来技術における問題点である。
【０００８】
従って、本発明の目的は、メディア全般に対して滲みが少なく優れた画質の記録画像を形成することのできるインクジェット用インクセットを提供することにある。
【０００９】
また、本発明の他の目的は、かかる優れたインクセットを用いたインクカートリッジ、記録装置及び記録物を提供することにある。
【課題を解決するための手段】
【００１０】
本発明者は、記録画像の滲み改善を図るべく、鋭意研究した結果、油性顔料インク等の水を含まない非水系顔料インクと共に、水を含む水系の顔料インクを組み合わせてなるインクセットが、前記目的を達成し得ることの知見を得た。
【００１１】
本発明は、前記知見に基づきなされたもので、下記１．に示すインクセットを提供するものである。
１．少なくとも色材として顔料を含む非水系インクと、少なくとも色材として顔料を含む水系インクと、からなるインクジェットインクセット。
【００１２】
また、本発明は、下記２．〜１５．に示す発明をそれぞれ提供するものである。
２．前記非水系インクが、更にアルキレングリコール化合物を含む、前記１記載のインクセット。
３．前記アルキレングリコール化合物が、ジエチレングリコール化合物及びジプロピレングリコール化合物のうち少なくとも１つを含む、前記２記載のインクセット。
４．前記ジエチレングリコール化合物が、ジエチレングリコールジエチルエーテルである、前記３記載のインクセット。
５．前記ジプロピレングリコール化合物が、ジプロピレングリコールモノメチルエーテルである、前記３記載のインクセット。
６．前記アルキレングリコール化合物が、更にオキシアルキレン基の付加モル数が３以上のポリアルキレングリコール化合物を含む、前記３〜５の何れかに記載のインクセット。
７．前記ポリアルキレングリコール化合物が、トリエチレングリコールモノエーテル化合物である、前記６記載のインクセット。
８．前記水系インクが、更に多価アルコールを含む、前記１〜７の何れかに記載のインクセット。
９．前記水系インクが、更に分散剤を含む、前記１〜８の何れかに記載のインクセット。
１０．前記非水系インク及び前記水系インクそれぞれに含まれる顔料が、同一である、前記１〜８の何れかに記載のインクセット。
１１．前記非水系インク及び前記水系インクは、それぞれ顔料として酸化チタンを含む、前記１〜９の何れかに記載のインクセット。
１２.前記１〜１１の何れかに記載のインクセットを少なくとも含むインクカートリッジ。
１３.前記１２記載のインクカートリッジを少なくとも備えた記録装置。
１４．前記１〜１１の何れかに記載のインクセットを少なくとも用いて記録する記録装置。
１５．前記１４記載の記録装置により記録された記録物。
【発明の効果】
【００１３】
本発明によれば、メディア全般に対して滲みが少なく優れた画質の記録画像を形成することのできるインクジェットインクセット、該インクセットを用いたインクカートリッジ、メディア全般に対して滲みが少なく優れた画質の記録画像を形成することのできる記録装置、及び滲みが少なく優れた画質を備えた記録物が提供される。
【発明を実施するための最良の形態】
【００１４】
以下、本発明について、その好ましい実施形態に基づき詳細に説明する。
【００１５】
本発明のインクセットは、既述の通り、少なくとも色材として顔料を含む非水系インクと、少なくとも色材として顔料を含む水系インクと、からなることを特徴とする。
【００１６】
本発明は、上記の構成からなるため、メディア全般に対して滲みが少なく、優れた画質の記録画像を形成することができる。本発明のインクセットによれば、非水系インクの色材としての顔料と水系インクの色材としての顔料が共にメディア上で凝集することで、より滲み難くなるため、単一のインクを使用した場合よりも高デューティな印刷ができる。特に、高濃度で滲みのない画像の形成が可能である。さらに、このような顔料の凝集により、隠蔽性の高い記録物を形成することができる。
【００１７】
本発明のインクセットにおける非水系インクに使用される顔料としては、従来の非水系インクや水系インク等インク全般に通常用いられている顔料を用いることができる。
【００１８】
そのような顔料としては、無機顔料又は有機顔料を使用することができる。例えば、カーボンブラック、カドミウムレッド、モリブデンレッド、クロムイエロー、カドミウムイエロー、チタンイエロー、酸化クロム、ピリジアン、チタンコバルトグリーン、ウルトラマリンブルー、プルシアンブルー、コバルトブルー、ジケトピロロピロール、アンスラキノン、ベンズイミダゾロン、アンスラピリミジン、アゾ系顔料、フタロシアニン系顔料、キナクリドン系顔料、イソインドリノン系顔料、ジオキサジン系顔料、スレン系顔料、ペリレン系顔料、ペリノン系顔料、チオインジゴ系顔料、キノフタロン系顔料、又は金属錯体顔料等を用いることができる。これらの顔料を単独で用いるか、あるいはそれらの２種又はそれ以上の組み合わせで使用することもできる。
【００１９】
顔料の具体例としては、非水系インクの種類（色）に応じて適宜挙げられる。
【００２０】
例えば、イエローインク用の顔料としては、Ｃ．Ｉ．ピグメントイエロー１，２，３，１２，１４，１６，１７，７３，７４，７５，８３，９３，９５，９７，９８，１０９，１１０，１１４，１２８，１２９，１３８，１３９，１４７，１５０，１５１，１５４，１５５，１８０，１８５等が挙げられ、これらの１種又は２種以上が用いられる。これらのうち、特にＣ．Ｉ．ピグメントイエロー７４，１１０，１２８，１４７及び１５０からなる群から選ばれる１種又は２種以上を用いることが好ましい。
【００２１】
また、マゼンタインク用の顔料としては、例えば、Ｃ．Ｉ．ピグメントレッド５，７，１２，４８（Ｃａ），４８（Ｍｎ），５７（Ｃａ），５７：１，１１２，１２２，１２３，１６８，１８４，２０２，２０９；Ｃ．Ｉ．ピグメントバイオレット１９等が挙げられ、これらの１種又は２種以上が用いられる。これらのうち、特にＣ．Ｉ．ピグメントレッド１２２，２０２，２０９及びＣ．Ｉ．ピグメントバイオレット１９からなる群から選ばれる１種又は２種以上を用いることが好ましい。
【００２２】
また、シアンインク用の顔料としては、例えば、Ｃ．Ｉ．ピグメントブルー１，２，３，１５：３，１５：４，１５：３４，１６，２２，６０；Ｃ．Ｉ．バットブルー４，６０等が挙げられ、これらの１種又は２種以上が用いられる。これらのうち、特にＣ．Ｉ．ピグメントブルー１５：３及び／又は１５：４を用いることが好ましい。
【００２３】
また、ブラックインク用の顔料としては、例えば、カーボンブラック、アニリンブラック（Ｃ．Ｉ．ピグメントブラック１）等の有機顔料等を用いることができ、特にカーボンブラックを用いることが好ましい。カーボンブラックとしては、例えば、ファーネスブラック、ランプブラック、アセチレンブラック、チャンネルブラック等のＣ．Ｉ．ピグメントブラック７類のものが挙げられる。
【００２４】
また、ホワイトインク（白インク）用の顔料としては、例えば、酸化チタン、酸化亜鉛等を用いることができ、特に酸化チタンを用いることが好ましい。
【００２５】
顔料は、その形状や大きさに特に限定されるものではないが、好ましくは平均粒径が５０〜５００ｎｍの粒子状のものである。
【００２６】
顔料の含有量は、用途や印刷特性によって適宜選択することができるが、非水系インク全体の重量に対して好ましくは０．５〜２５重量％、より好ましくは０．５〜１５重量％、最も好ましく１〜１０重量％である。
【００２７】
また、非水系インクは、顔料に加え、乾燥目詰まり防止の点で、更にアルキレングリコール化合物を含むことが好ましい。かかるアルキレングリコール化合物は、非水系インクにおける有機溶媒として機能するものである。
【００２８】
非水系インクに使用することのできるアルキレングリコール化合物としては、その種類に特に制限されるものではないが、特に、分散安定性、吐出安定性が得られ易い点で、特にジエチレングリコール化合物及びジプロピレングリコール化合物のうち少なくとも１つであることが好ましい。
【００２９】
前記のジエチレングリコール化合物としては、例えば、一般式（Ｉ）；
Ｒ11−Ｏ−Ｃ2Ｈ4−Ｏ−Ｃ2Ｈ4−Ｏ−Ｒ12          （Ｉ）
（式中、Ｒ11及びＲ12は、それぞれ独立して、水素原子、炭素数１〜４のアルキル基、又はＲ13ＣＯ基であり、Ｒ13は炭素数１〜４のアルキル基である。）
で表されるジエチレングリコール化合物を用いることができる。
【００３０】
本明細書において「炭素数１〜４のアルキル基」は、直鎖状又は分枝状のアルキル基であることができ、例えば、メチル基、エチル基、ｎ−プロピル基、ｉｓｏ−プロピル基、ｎ−ブチル基、ｉｓｏ−ブチル基、ｓｅｃ−ブチル基、又はｔｅｒｔ−ブチル基であることができる。
【００３１】
好ましいジエチレングリコール化合物としては、例えば、ジエチレングリコール；ジエチレングリコールエーテル（特に、アルキルエーテル）、例えば、ジエチレングリコールモノメチルエーテル、ジエチレングリコールジメチルエーテル、ジエチレングリコールメチルエチルエーテル、ジエチレングリコールモノエチルエーテル、ジエチレングリコールジエチルエーテル、ジエチレングリコールモノｎ−ブチルエーテル、ジエチレングリコールジｎ−ブチルエーテル；又は、ジエチレングリコールエステル、例えば、ジエチレングリコールモノエチルエーテルアセテート、ジエチレングリコールモノｎ−ブチルエーテルアセテート、若しくはジエチレングリコールモノアセテートを挙げることができる。
【００３２】
これらの中では、ジエチレングリコール、ジエチレングリコールモノメチルエーテル、ジエチレングリコールモノエチルエーテル、ジエチレングリコールジエチルエーテル、ジエチレングリコールモノｎ−ブチルエーテル、ジエチレングリコールジｎ−ブチルエーテル、ジエチレングリコールモノエチルエーテルアセテート、若しくはジエチレングリコールモノブチルエーテルアセテートが好ましい。
【００３３】
本発明においては、特に、分散安定性、吐出安定性がより得られ易い点で、ジエチレングリコール化合物が、ジエチレングリコールジエチルエーテルであることが好ましい。
【００３４】
前記のジプロピレングリコール化合物としては、例えば、一般式（II）；
Ｒ21−Ｏ−Ｃ3Ｈ6−Ｏ−Ｃ3Ｈ6−Ｏ−Ｒ22          （II）
（式中、Ｒ21及びＲ22は、それぞれ独立して、水素原子、炭素数１〜４のアルキル基、又はＲ23ＣＯ基であり、Ｒ23は炭素数１〜４のアルキル基である。）
で表されるジプロピレングリコール化合物を用いることができる。
【００３５】
好ましいジプロピレングリコール化合物としては、例えば、ジプロピレングリコール；又はジプロピレングリコールエーテル（特に、アルキルエーテル）、例えば、ジプロピレングリコールモノメチルエーテル、若しくはジプロピレングリコールモノエチルエーテルを挙げることができる。
【００３６】
本発明においては、特に、分散安定性、吐出安定性がより得られ易い点で、ジプロピレングリコール化合物が、ジプロピレングリコールモノメチルエーテルであることが好ましい。
【００３７】
また、本発明においては、アルキレングリコール化合物として、前記ジエチレングリコール化合物と前記ジプロピレングリコール化合物との混合物を用いることが好ましい。該混合物を用いる場合には、前記ジエチレングリコール化合物と前記ジプロピレングリコール化合物との混合比（重量比）は、好ましくは２０：８０〜８０：２０の範囲であり、更に好ましくは３０：７０〜７０：３０の範囲である。混合比が、２０：８０〜８０：２０の範囲内にあると、印字安定性及び保存安定性が向上する。
【００３８】
また、アルキレングリコール化合物としては、前述したジエチレングリコール化合物及びジプロピレングリコール化合物のうち少なくとも１つ（好ましくはこれらの混合物）と共に、更にオキシアルキレン基の付加モル数が３以上のポリアルキレングリコール化合物を含むことが、乾燥目詰まり防止、吐出安定性確保の点で好ましい。
【００３９】
前記のポリアルキレングリコール化合物としては、例えば、一般式（III）：
Ｒ31−Ｏ−（Ｃ2Ｈ4−Ｏ）ｎ−Ｈ          （III）
〔式中、Ｒ31は、炭素数１〜６のアルキル基（好ましくは、炭素数１〜４のアルキル基）であり、ｎは、３〜６の整数である。〕
で表されるポリエチレングリコールモノエーテル化合物等が挙げられる。
【００４０】
本明細書において「炭素数１〜６のアルキル基」は、直鎖状又は分枝状のアルキル基であることができ、例えば、前記の「炭素数１〜４のアルキル基」に加えて、直鎖状又は分枝状のペンチル基、又は直鎖状又は分枝状のヘキシル基であることができる。
【００４１】
好ましい前記ポリアルキレングリコール化合物としては、例えば、トリエチレングリコールモノエーテル化合物（例えば、トリエチレングリコールモノメチルエーテル、又はトリエチレングリコールモノブチルエーテル）等のポリエチレングリコールモノエーテル化合物、あるいは、前記一般式（III）においてｎが４〜６であるポリエチレングリコールモノエーテル化合物（特に、ポリエチレングリコールモノメチルエーテル）の混合物、例えば、テトラエチレングリコールモノメチルエーテルと、ペンタエチレングリコールモノメチルエーテルと、ヘキサエチレングリコールモノメチルエーテルとの混合物を挙げることができる。
【００４２】
本発明においては、特に、乾燥目詰まり防止及び吐出安定性を向上させる点で、前記のポリアルキレングリコール化合物が、トリエチレングリコールモノエーテル化合物であることが好ましい。
【００４３】
アルキレングリコール化合物（全体）の含有量は、印刷特性によって適宜選択することができるが、非水系インク全体の重量に対して好ましくは５０〜９９重量％、より好ましくは８５〜９５重量％である。
【００４４】
特に、アルキレングリコール化合物として、前記ジエチレングリコール化合物及び前記ジプロピレングリコール化合物に加えて、前記ポリアルキレングリコール化合物を含む場合には、それらの含有量は、前記ジエチレングリコール化合物３０〜５０重量部及び前記ジプロピレングリコール化合物３０〜５０重量部に対して、前記ポリアルキレングリコール化合物１０〜３０重量部の比率であることが好ましい。これらの含有量の比率がこのような範囲にあると、吐出安定性をより向上できる点で好ましい。
【００４５】
非水系インクにおいては、有機溶媒として、前記アルキレングリコール化合物の他に、その他の有機溶媒を含有することができる。
【００４６】
非水系インクに用いることのできる、その他の有機溶媒としては、好ましくは極性有機溶媒、例えば、アルコール類（例えば、メチルアルコール、エチルアルコール、プロピルアルコール、ブチルアルコール、又はフッ化アルコール等）、ケトン類（例えば、アセトン、メチルエチルケトン、又はシクロヘキサノン等）、カルボン酸エステル類（例えば、酢酸メチル、酢酸エチル、酢酸プロピル、酢酸ブチル、プロピオン酸メチル、又はプロピオン酸エチル等）、又はエーテル類（例えば、ジエチルエーテル、ジプロピルエーテル、テトラヒドロフラン、又はジオキサン等）等を用いることができる。
【００４７】
有機溶媒については、アルキレングリコール化合物が、前記ジエチレングリコール化合物及び前記ジプロピレングリコール化合物を含み、前記ポリアルキレングリコール化合物を含まない場合には、前記ジエチレングリコール化合物と前記ジプロピレングリコール化合物が合計量で、非水系インク中の全有機溶媒成分の７５重量％以上を占めることが好ましい。
【００４８】
また、有機溶媒としてのアルキレングリコール化合物が、前記ジエチレングリコール化合物及び前記ジプロピレングリコール化合物に加えて、前記ポリアルキレングリコール化合物を含む場合には、前記ジエチレングリコール化合物と前記ジプロピレングリコール化合物と前記ポリアルキレングリコール化合物の混合物が、非水系インク中の全有機溶媒成分の８０重量％以上を占めることが好ましい。
【００４９】
非水系インクは、前記の顔料及び有機溶媒の他に、非イオン性のポリオキシエチレン誘導体を含むことができる。ポリオキシエチレン誘導体としては、常温常圧下で液体の化合物が好ましい。前記ポリオキシエチレン誘導体は、非水系インクに再溶解性を付与することができる。
【００５０】
前記のポリオキシエチレン誘導体としては、例えば、ポリオキシエチレンアルキルエーテル、例えば、ポリオキシエチレンセチルエーテル（例えば、ニッサンノニオンＰ−２０８；日本油脂株式会社）、ポリオキシエチレンオレイルエーテル（例えば、ニッサンノニオンＥ−２０２Ｓ，Ｅ−２０５Ｓ；日本油脂株式会社）、又はポリオキシエチレンラウリルエーテル（例えば、エマルゲン１０６，１０８；花王株式会社）、ポリオキシエチレンアルキルフェノールエーテル、例えば、ポリオキシエチレンオクチルフェノールエーテル（例えば、ニッサンノニオンＨＳ−２０４．５，ＨＳ−２０６，ＨＳ−２０８；日本油脂株式会社）、ソルビタンモノエステル、例えば、ソルビタンモノカプリレート（例えば、ニッサンノニオンＣＰ−０８Ｒ；日本油脂株式会社）、又はソルビタンモノラウレート（例えば、ニッサンノニオンＬＰ−２０Ｒ；日本油脂株式会社）、ポリオキシエチレンソルビタンモノエステル、例えば、ポリオキシエチレンソルビタンモノステアレート（例えば、ニッサンノニオンＯＴ−２２１；日本油脂株式会社）、ポリカルボン酸系高分子活性剤（フローレンＧ−７００；共栄社化学株式会社）、ポリオキシエチレン高級アルコールエーテル（例えば、エマルゲン７０７，７０９；花王株式会社）、テトラグリセンリンオレート（例えば、ポエムＪ−４５８１；理研ビタミン株式会社）、ノニルフェノールエトキシレート（例えば、アデカトールＮＰ−６２０，ＮＰ−６５０，ＮＰ−６６０，ＮＰ−６７５，ＮＰ−６８３，ＮＰ−６８６；旭電化工業株式会社）、脂肪族リン酸エステル（例えば、アデカコールＣＳ−１４１Ｅ，ＴＳ−２３０Ｅ；旭電化工業株式会社）、ソルビタンセスキオレート（例えば、ソルゲン３０；第一工業製薬株式会社）、ソルビタンモノオレート（例えば、ソルゲン４０；第一工業製薬株式会社）、ポリエチレングリコールソルビタンモノラウレート（例えば、ソルゲンＴＷ−２０；第一工業製薬株式会社）、ポリエチレングリコールソルビタンモノオレート（例えば、ソルゲンＴＷ−８０；第一工業製薬株式会社）を挙げることができる。更には、前記のポリオキシエチレン誘導体としてアセチレングリコール系界面活性剤を用いることができる。アセチレングリコール系界面活性剤の好ましい具体例としては、一般式（IV）：
【００５１】
【化１】
2005290217.tif 000002
【００５２】
〔式中、０≦ｐ＋ｑ≦５０であり、Ｒ41、Ｒ42、Ｒ43、及びＲ44はそれぞれ独立してアルキル基、好ましくは炭素数１〜６のアルキル基である〕で表わされる化合物を挙げることができる。
【００５３】
前記一般式（IV）で表される化合物の中で、特に好ましくは２，４，７，９−テトラメチル−５−デシン−４，７−ジオール、３，６−ジメチル−４−オクチン−３，６−ジオール、３，５−ジメチル−１−ヘキシン−３オールなどを挙げることができる。前記一般式（IV）で表されるアセチレングリコール系界面活性剤として市販品を利用することも可能であり、その具体例としてはサーフイノール１０４、８２、４６５、４８５、又はＴＧ（いずれもＡｉｒ  Ｐｒｏｄｕｃｔｓ  ａｎｄ  Ｃｈｅｍｉｃａｌｓ．Ｉｎｃ．より入手可能）、オルフインＳＴＧ、オルフインＥ１０１０（いずれも日信化学社製の商品名）を挙げることができる。
【００５４】
また、前記のポリオキシエチレン誘導体として、その他の市販品を利用することも可能であり、その具体例としては、ニッサンノニオンＡ−１０Ｒ，Ａ−１３Ｒ（日本油脂株式会社）、フローレンＴＧ−７４０Ｗ，Ｄ−９０（共栄社化学株式会社）、エマルゲンＡ−９０，Ａ−６０（花王株式会社）、又はノイゲンＣＸ−１００（第一工業製薬株式会社）を挙げることができる。
【００５５】
前記ポリオキシエチレン誘導体の含有量は、付与すべき再溶解性によって適宜選択することができるが、非水系インク中の顔料の含有量に対して、好ましくは５〜２００重量％、より好ましくは３０〜１２０重量％である。
【００５６】
非水系インクは、分散剤を含むことができる。分散剤としては、通常の油性インク組成物、特には、インクジェット記録用油性インク組成物等の非水系のインク組成物において用いられている任意の分散剤を用いることができ、特には、有機溶剤の溶解度パラメーターが８〜１１のときに、有効に作用する分散剤を用いるのが好ましい。
【００５７】
こうした分散剤としては、市販品を利用することも可能であり、その具体例としては、ポリエステル系高分子化合物（ヒノアクトＫＦ１−Ｍ，Ｔ−６０００，Ｔ−７０００，Ｔ−８０００，Ｔ−８３５０Ｐ，Ｔ−８０００Ｅ；武生ファインケミカル株式会社製）、ｓｏｌｓｐｅｒｓｅ２００００，２４０００，３２０００，３２５００，３３５００，３４０００，３５２００（アビシア株式会社）、ｄｉｓｐｅｒｂｙｋ−１６１，１６２，１６３，１６４，１６６，１８０，１９０，１９１，１９２（ビック・ケミー社）、フローレンＤＯＰＡ−１７，２２，３３，Ｇ−７００（共栄社化学株式会社）、アジスパーＰＢ８２１，ＰＢ７１１（味の素株式会社）、ＬＰ４０１０，ＬＰ４０５０，ＬＰ４０５５，ＰＯＬＹＭＥＲ４００，４０１，４０２，４０３，４５０，４５１，４５３（ＥＦＫＡケミカルズ社）を挙げることができる。
【００５８】
また、分散剤として、上記に例示した以外の分散剤、例えばアクリル酸共重合体等を用いることもできる。
【００５９】
前記分散剤の含有量は、分散すべき顔料によって適宜選択することができるが、非水系インク中の顔料の含有量に対して、好ましくは３０〜２００重量％である。分散剤の含有量が３０重量％未満では、インクを高温放置したとき、顔料の粒径が大きくなることがある。また、分散剤の含有量が２００重量％を超えると、インクジェット印刷したとき、吐出曲がりが発生し易くなる。
【００６０】
非水系インクは、前記の顔料及び有機溶媒の他に、通常の油性インク組成物等の非水系のインク組成物に含まれているその他の添加剤を含むことができる。こうした添加剤としては、例えば、安定剤（例えば、酸化防止剤、又は紫外線吸収剤）、界面活性剤、及び／又はバインダー樹脂を挙げることができる。酸化防止剤としては、例えば、ＢＨＡ（２，３−ブチル−４−オキシアニソール）又はＢＨＴ（２，６−ジ−ｔ−ブチル−ｐ−クレゾール）を用いることができ、紫外線吸収剤としては、例えば、ベンゾフェノン系化合物、又はベンゾトリアゾール系化合物を用いることができる。また、界面活性剤としては、アニオン系、カチオン系、両性、又は非イオン系のいずれの界面活性剤も用いることができる。更に、バインダー樹脂によって非水系インクの粘度を調整することができる。非水系インクの粘度（温度２０℃における粘度）は、例えば、１０ｍＰａ・ｓ、より好ましくは５ｍＰａ・ｓである。バインダー樹脂としては、例えば、アクリル樹脂、スチレンアクリル樹脂、ロジン変性樹脂、フェノール樹脂、テルペン系樹脂、ポリエステル樹脂、ポリアミド樹脂、エポキシ樹脂、塩化ビニル酢酸ビニル共重合体、繊維素系樹脂（例えば、セルロースアセテートブチレート）、又はビニルトルエン−α−メチルスチレン共重合体を用いることができる。なお、バインダー樹脂は、その添加量により、メディアへの顔料の定着性を更に良好にすることもできる。
【００６１】
非水系インクは、公知の慣用方法によって調製することができる。例えば、最初に、顔料、分散剤、及び前記アルキレングリコール化合物（一部分）を混合した後、ボールミル、ビーズミル、超音波、又はジェットミル等で顔料分散液を調製し、所望のインク特性を有するように調整する。続いて、バインダー樹脂、前記アルキレングリコール化合物（残量）、及びその他の添加剤（例えば、分散助剤や粘度調整剤）を撹拌下に加えて非水系インクを得ることができる。
【００６２】
非水系インクの物性は特に限定されるものではないが、例えば、その表面張力は好ましくは２０〜５０ｍＮ／ｍである。表面張力が２０ｍＮ／ｍ未満になると、インクがインクジェット記録用プリンタヘッドの表面に濡れ広がるか、又は滲み出してしまい、インク滴の吐出が困難になることがあり、表面張力が５０ｍＮ／ｍを越えると、メディアの表面において濡れ広がらず、良好な印刷ができないことがある。
【００６３】
本発明のインクセットにおける水系インクは、前述した非水系インクと使用された際に、該非水系インク及び該水系インクそれぞれの顔料をメディア上で凝集させ、若しくはそれぞれ顔料の凝集を促進させて、記録画像の滲みを抑制するためのものである。
【００６４】
水系インクは、既述の通り少なくとも色材として顔料を含むものであり、その溶媒として水を含むものである。
【００６５】
水系インクに使用される顔料としては、従来の水系インクや非水系インク等インク全般に通常用いられている顔料を用いることができる。そのような顔料としては、前述した非水系インクに使用される顔料として例示したものが同様に挙げられる。従って、水系インクに使用される顔料については、前述の非水系インクに使用される顔料について詳述した事項、即ち、一般的な顔料の例、インクの種類に応じた顔料の具体例及びその好適例、顔料の形状、大きさ、含有量等が適宜適用される。
【００６６】
また、顔料の選定に際しては、前述した非水系インク及び該水系インクそれぞれに含まれる顔料が同一となるようにすることが、色斑防止の点で好ましい。
【００６７】
さらに、前述した非水系インク及び該水系インクは、それぞれ顔料として酸化チタンを含むことが、隠蔽性付与の点で好ましい。
【００６８】
水系インクは、顔料及び水と共に、更に多価アルコールを含むことが好ましい。水系インクが多価アルコールを含むことにより、乾燥目詰まり防止という効果がある。
【００６９】
そのような多価アルコールとしては、例えば、エチレングリコール、ジエチレングリコール、トリエチレングリコール、ポリエチレングリコール、ポリプロピレングリコール、プロピレングリコール、ブチレングリコール、１，２，６−ヘキサントリオール、チオジグリコール、ヘキシレングリコール、グリセリン、トリメチロールエタン、トリメチロールプロパン等が挙げられる。
【００７０】
多価アルコールは、水系インク中に、好ましくは１０〜５０重量％含有される。多価アルコールを１０重量％以上添加すれば、乾燥目詰まりを有効に防止でき、一方、５０重量％以下とすれば、インクの粘度を適切な範囲に保つことができる。
【００７１】
水系インクは、顔料及び水と共に、更に界面活性剤を含むことが好ましい。水系インクが界面活性剤を含むことにより、インク中の顔料等の分散性を高めると共に、水系インクが非水系インクと使用された際に、メディアへのインクの濡れ性を高めて浸透性を高めることができる。
【００７２】
そのような界面活性剤としては、特にインクの浸透性向上の観点から、アセチレングリコール類及び／又はポリシロキサン類が好ましく用いられる。
【００７３】
アセチレングリコール類としては、例えば、下記一般式（１）で表わされるアセチレングリコール系化合物が好ましく挙げられる。
【００７４】
【化２】
2005290217.tif 000003
【００７５】
（式中、０≦ｍ＋ｎ≦５０、Ｒ1〜Ｒ4は、それぞれ独立に、炭素数１〜６のアルキル基を表わす。）
上記一般式（１）で表されるアセチレングリコール系化合物としては、市販されているものを用いることができ、例えば、オルフィンＹ、サーフィノール８２，４４０，４６５，ＳＴＧ，Ｅ１０１０（何れも商品名、エア・プロダクツ・アンド・ケミカルズ社製）などが挙げられる。
【００７６】
ポリシロキサン類としては、例えば、下記一般式（２）で表わされるポリシロキサン系化合物が好ましく挙げられる。
【００７７】
【化３】
2005290217.tif 000004
【００７８】
上記一般式（２）で表されるポリシロキサン系化合物としては、市販されているものを用いることができ、例えば、ＢＹＫ３４８（ビックケミージャパン製）等を用いることができる。
【００７９】
また、界面活性剤として、カチオン性界面活性剤、アニオン性界面活性剤、ノニオン性界面活性剤等の各種界面活性剤を用いることもできる。
【００８０】
これらの界面活性剤は、その１種又は２種以上が用いられる。
【００８１】
界面活性剤は、水系インク中に、好ましくは０．１〜５．０重量％、更に好ましくは０．５〜３．０重量％含有される。
【００８２】
また、本発明においては、水系インク中の顔料を分散する分散剤として、例えば、スチレン−アクリル酸共重合体塩、ポリアクリル酸カリウム塩等のポリアクリル酸塩、ポリカルボン酸アンモニウム塩等のポリカルボン酸塩等を好適に用いることができる。分散剤は、水系インク中に、好ましくは２０〜３００重量％含有される。分散剤の含有量が２０重量％未満では、分散安定性が得られにくいことがあり、３００重量％を超えれば、吐出曲がりが発生するおそれがある。
【００８３】
水系インクはまた、非水系インクと使用された際に、メディアへのインクの濡れ性を高めて浸透性を向上させる点から、アルカンジオール類及び／又はグリコールエーテル類等の浸透溶媒を含むことができる。
【００８４】
アルカンジオール類としては、例えば、１，２−ペンタンジオール、１，２−ヘキサンジオール等が挙げられる。
【００８５】
グリコールエーテル類としては、例えば、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、トリエチレングリコールモノメチルエーテル、トリエチレングリコールモノエチルエーテル、トリエチレングリコールモノブチルエーテル等が挙げられる。
【００８６】
これらの浸透溶媒は、その１種又は２種以上が用いられる。
【００８７】
浸透溶媒は、水系インク中に、好ましくは１〜２０重量％、更に好ましくは１〜１０重量％含有される。
【００８８】
水系インクには、その他必要に応じて、初期充填性を改良するためにピロリドン系溶媒（好ましくは２−ピロリドン）や、プロキセル（アビシア株式会社製）等の防腐剤、エチレンジアミンテトラ酢酸ナトリウム塩等のキレート剤等を含むこともできる。
【００８９】
本発明のインクセットが使用される対象のメディアとしては、インクジェット用に使用される全てのメディアが適用可能であり、例えば、普通紙、インクジェット専用紙等の吸収メディア、トランスペーランシー、塩ビ等の非吸収メディア等が挙げられる。
【００９０】
以上詳述したように、本発明についてその好適な実施形態に基づき説明したが、本発明は前述の実施形態に制限されず、その趣旨を逸脱しない範囲内で種々の変更が可能である。
【００９１】
本発明によれば、更に、前述したインクジェトインクセットを用いたインクカートリッジ、該インクカートリッジを備えた記録装置、及び前述したインクジェットインクセットを用いて記録する記録装置を提供することができ、これらによりメディア全般に対して滲みが少なく優れた画質の記録画像を形成することができる。
【００９２】
また、本発明によれば、前記記録装置により記録された記録物を提供することができ、これにより滲みが少なく優れた画質を備えた記録物を得ることができる。
【００９３】
以下に、本発明の実施例及び試験例を挙げて、本発明をより具体的に説明するが、本発明は、かかる実施例により何等制限されるものではない。
【００９４】
以下に示す各配合組成からなる非水系インク（油性インク）及び水系インクをそれぞれ調製した。尚、組成中に示される下記成分の詳細は、それぞれ次の通りである。
【００９５】
ＤＥＧＤＥＥ：ジエチレングリコールジエチルエーテル
ＤＰＧＭＭＥ：ジプロピレングリコールモノメチルエーテル
ＴＥＧＭＭＥ：トリエチレングリコールモノメチルエーテル
【００９６】
（非水系インク１）                    （重量％）
Ｃ．Ｉ．ピグメントイエロー１５０・・４．０
ポリエステル樹脂・・・・・・・・・・８．０
：「solsperse 20000」（アビシア株式会社製）
ポリオキシエチレンセチルエーテル・・２．０
セルロースアセテートブチレート・・・０．２
ＤＥＧＤＥＥ・・・・・・・・・・・３０．０
ＤＰＧＭＭＥ・・・・・・・・・・・３０．０
ＴＥＧＭＭＥ・・・・・・・・・・・２５．８
【００９７】
（非水系インク２）                    （重量％）
Ｃ．Ｉ．ピグメントレッド１２２・・・３．５
ポリエステル樹脂・・・・・・・・・・３．５
：「solsperse 20000」（アビシア株式会社製）
ポリオキシエチレンセチルエーテル・・２．０
セルロースアセテートブチレート・・・０．１５
ＤＥＧＤＥＥ・・・・・・・・・・・３０．０
ＤＰＧＭＭＥ・・・・・・・・・・・３０．０
ＴＥＧＭＭＥ・・・・・・・・・・・３０．８５
【００９８】
（非水系インク３）                    （重量％）
Ｃ．Ｉ．ピグメントブルー１５：４・・３．０
ポリエステル樹脂・・・・・・・・・・１．０
：「solsperse 20000」（アビシア株式会社製）
ポリオキシエチレンセチルエーテル・・２．２
セルロースアセテートブチレート・・・０．２
ＤＥＧＤＥＥ・・・・・・・・・・・３０．０
ＤＰＧＭＭＥ・・・・・・・・・・・６３．６
【００９９】
（非水系インク４）                    （重量％）
カーボンブラック・・・・・・・・・・４．０
ポリエステル樹脂・・・・・・・・・・７．０
：「solsperse 20000」（アビシア株式会社製）
ポリオキシエチレンセチルエーテル・・１．８
セルロースアセテートブチレート・・・０．２５
ＤＥＧＤＥＥ・・・・・・・・・・・３０．０
ＤＰＧＭＭＥ・・・・・・・・・・・５６．９５
【０１００】
（非水系インク５）                    （重量％）
ＴｉＯ2 ・・・・・・・・・・・・・・６．０
ポリエステル樹脂・・・・・・・・・・６．０
：「solsperse 20000」（アビシア株式会社製）
ポリオキシエチレンセチルエーテル・・２．０
セルロースアセテートブチレート・・・０．１５
ＤＥＧＤＥＥ・・・・・・・・・・・３０．０
ＤＰＧＭＭＥ・・・・・・・・・・・３０．０
ＴＥＧＭＭＥ・・・・・・・・・・・２５．８５
【０１０１】
（水系インク１）                （重量％）
Ｃ．Ｉ．ピグメントイエロー１５０・・４．０
スチレン−アクリル酸共重合体塩・・・２．０
グリセリン・・・・・・・・・・・・１４．０
１，２−ヘキサンジオール・・・・・・５．０
プロキセルＸＬ２・・・・・・・・・・０．１０
ＥＤＴＡ−２Ｎａ・・・・・・・・・・０．０２
水・・・・・・・・・・・・・・・・７４．８８
【０１０２】
（水系インク２）                （重量％）
Ｃ．Ｉ．ピグメントレッド１２２・・・３．５
スチレン−アクリル酸共重合体塩・・・０．７
グリセリン・・・・・・・・・・・・１７．０
１，２−ヘキサンジオール・・・・・・５．０
プロキセルＸＬ２・・・・・・・・・・０．１０
ＥＤＴＡ−２Ｎａ・・・・・・・・・・０．０２
水・・・・・・・・・・・・・・・・７３．６８
【０１０３】
（水系インク３）                （重量％）
Ｃ．Ｉ．ピグメントブルー１５：４・・３．０
スチレン−アクリル酸共重合体塩・・・９．０
グリセリン・・・・・・・・・・・・１９．０
１，２−ヘキサンジオール・・・・・・５．０
ＥＤＴＡ−２Ｎａ・・・・・・・・・・０．０２
水・・・・・・・・・・・・・・・・６３．９８
【０１０４】
（水系インク４）                （重量％）
カーボンブラック・・・・・・・・・・４．０
ポリアクリル酸カリウム塩・・・・・・４．０
グリセリン・・・・・・・・・・・・２０．０
２−ピロリドン・・・・・・・・・・・２．０
１，２−ヘキサンジオール・・・・・・５．０
プロキセルＸＬ２・・・・・・・・・・０．３０
ＥＤＴＡ−２Ｎａ・・・・・・・・・・０．０２
水・・・・・・・・・・・・・・・・６４．６８
【０１０５】
（水系インク５）                （重量％）
ＴｉＯ2 ・・・・・・・・・・・・・・６．０
ポリカルボン酸アンモニウム塩・・・１２．０
グリセリン・・・・・・・・・・・・１２．０
エチレングリコール・・・・・・・・・９．０
１，２−ヘキサンジオール・・・・・・５．０
プロキセルＸＬ２・・・・・・・・・・０．３０
ＥＤＴＡ−２Ｎａ・・・・・・・・・・０．０２
水・・・・・・・・・・・・・・・・５５．６８
【０１０６】
（実施例１〜５）
調製した非水系インク及び水系インクの中から適宜な組合せを採用することにより、次に示すインクセットを選定した。
【０１０７】
実施例１：非水系インク１と水系インク１とを組み合わせたインクセット
実施例２：非水系インク２と水系インク３とを組み合わせたインクセット
実施例３：非水系インク３と水系インク２とを組み合わせたインクセット
実施例４：非水系インク４と水系インク４とを組み合わせたインクセット
実施例５：非水系インク５と水系インク５とを組み合わせたインクセット
【０１０８】
（インク凝集試験）
実施例１〜５のインクセットにおける非水系インク及び水系インクをそれぞれ１ミリグラムずつ、同一のスライドガラスにつけた。その後、これらの非水系インクと水系インクとをガラス上で混合した際に、非水系インク及び水系インク中の顔料の凝集が認められるかどうかの評価を行った。比較のために、次に示すインクセット（比較例１及び２）を用いて同様の試験、評価を行った。
【０１０９】
比較例１：非水系インク１及び２の両インクを組み合わせたインクセット
比較例２：水系インク１及び２の両インクを組み合わせたインクセット
試験結果
実施例１〜５のインクセットによれば、同一顔料、異なる顔料の組み合わせに関わらず、顔料の凝集が認められた。
【０１１０】
比較例１及び２のインクセットでは、顔料が凝集しなかった。
【０１１１】
この結果から、非水系インクと水系インクとを組み合わせた本発明のインクセット（実施例１〜５）を用いれば、顔料の凝集を促進することが判る。
【０１１２】
（実施例６）
実施例６として、非水系インク２と水系インク２とを組み合わせたインクセットを使用した。
【０１１３】
（吐出インク凝集試験１）
実施例６のインクセットにおける非水系インク２及び水系インク２を、セイコーエプソン株式会社製のプリンタＭＪ８０００Ｃのインクカートリッジに充填した。このプリンタを用いて、メディア上において非水系インク２の上に水系インク２が来るように吐出し、印刷を行った。メディアは、吸収性を有するゼロックスＰ紙及び非吸収性のターポリンの二種を用いた。印刷後、メディア上に滲みが認められるかどうかの評価を行った。
【０１１４】
試験結果
実施例６のインクセットは、メディアの種類にかかわらず、滲みのない印刷が行われた。
【０１１５】
（実施例７）
実施例７として、非水系インク４と水系インク１とを組み合わせたインクセットを使用した。
【０１１６】
（吐出インク凝集試験２）
実施例７のインクセットにおける非水系インク４及び水系インク１を、セイコーエプソン株式会社製のプリンタＭＪ８０００Ｃのインクカートリッジに充填した。このプリンタを用いて、メディア上において水系インク１のベタ印刷の上に非水系インク４の細線が印刷されるように吐出し、印刷を行った。印刷デューティは共に１００％であった。メディアは、吸収性を有するゼロックスＰ紙及び非吸収性のターポリンの二種を用いた。印刷後、メディア上に滲みが認められるかどうかの評価を行った。
【０１１７】
また、比較のために、下記のインクセット（比較例３）を用いて、非水系インク１のベタ印刷の上に非水系インク４の細線が印刷されるように吐出し、同様の試験、評価を行った。この際、印刷デューティは実施例７の場合と同様に両インク共に１００％とした試験に加え、両インク共に５０％とした試験も行った。
【０１１８】
比較例３：非水系インク１と非水系インク４とを組み合わせたインクセット
試験結果
実施例７のインクセットによれば、メディアの種類にかかわらず、黒の細線が滲みなく印刷されていた（印刷デューティ１００％）。
【０１１９】
比較例３のインクセットでは、印刷デューティ１００％のときは、両メディア上とも黒の細線の滲みが目立った。特に、ターポリン上ではインク同士が混ざり合い、激しい滲みが生じた。一方、比較例３のインクセットを用いて印刷デューティ５０％で印刷すれば、メディアの種類にかかわらず、黒の細線が滲みなく印刷されていた。
【０１２０】
この結果から、高濃度で滲みのない印刷を達成するには、非水系インクと水系インクとを組み合わせた本発明のインクセット（実施例７）が望ましいことが判る。
【０１２１】
（吐出インク凝集試験３）
前記した実施例５のインクセットにおける非水系インク５及び水系インク５（共に白色顔料であるＴｉＯ2を含む白インク）を、セイコーエプソン株式会社製のプリンタＭＪ８０００Ｃのインクカートリッジに充填した。このプリンタを用いて、非吸収性のメディアであるトランスペーランシー上において非水系インク５の上に水系インク５を吐出し、共にベタパターンで印刷を行った。印刷デューティは共に１００％であった。印刷後、メディア上の印刷物について隠蔽性及び印刷濃度の評価を行った。比較のために、次に示すインクセット（比較例４）を用いて同様の試験、評価を行った。
【０１２２】
比較例４：同一の非水系インク５（白インク）を二つ組み合わせたインクセット
試験結果
実施例５のインクセットによれば、印刷物の隠蔽性が高く、十分に濃い白であった。
【０１２３】
比較例４のインクセットによれば、印刷物の隠蔽性が低く、トランスペーランシーの裏側が透けて見えた。
【０１２４】
この結果から、本発明のインクセット（実施例５）に係る非水系及び水系の各白インクが混ざり合うことで、ＴｉＯ2が凝集し、顔料粒径が増大することにより隠蔽性の優れた印刷物ができたものと思われる。一方、非水系の二つの白インクからなる比較例４のインクセットでは、メディア上でも凝集せず、顔料の粒径が小さいままインクが乾燥したため、隠蔽性が少ない印刷物となったと考えられる。
【産業上の利用可能性】
【０１２５】
本発明は、メディア全般に対して滲みが少なく優れた画質の記録画像を形成することのできるインクジェットインクセット、該インクセットを用いたインクカートリッジ、メディア全般に対して滲みが少なく優れた画質の記録画像を形成することのできる記録装置、及び滲みが少なく優れた画質を備えた記録物として、産業上の利用可能性を有する。